(57)【要約】【課題】電源供給装置及びこれを含むプラズマ表示装置を提供する。【解決手段】入力電源に電気的に連結される１次側コイルと出力端に電気的に連結される２次側コイルを含むトランスフォーマー、前記トランスフォーマーの１次側コイルに電気的に連結されて、デューティーにより前記出力端に出力される電圧を決定する第１スイッチ、前記出力端に電気的に直列連結される第１抵抗及び第２抵抗、一端が前記出力端と前記第１抵抗の接続点に連結される第３抵抗、前記第３抵抗の他端に一端が連結されて他端が前記第１抵抗と前記第２抵抗の接続点に連結され、前記プラズマ表示パネルが駆動された累積駆動時間が設定された基準時間以上であればオンされる第２スイッチ、前記第２スイッチのオン／オフにより変動するフィードバック電圧を受信して、前記第１スイッチのデューティーを制御するスイッチング制御部を含む。【選択図】図１
2009042724.tif 000002
【特許請求の範囲】
【請求項１】
プラズマ表示パネルに電源を供給する電源供給装置であって、
入力電源に電気的に連結される１次側コイルと出力端に電気的に連結される２次側コイルを含むトランスフォーマー、
前記トランスフォーマーの１次側コイルに電気的に連結されて、デューティーにより前記出力端に出力される電圧を決定する第１スイッチ、
前記出力端に電気的に直列連結される第１抵抗及び第２抵抗、
一端が前記出力端と前記第１抵抗の接続点に連結される第３抵抗、
前記第３抵抗の他端に一端が連結されて他端が前記第１抵抗と前記第２抵抗の接続点に連結されていて、前記プラズマ表示パネルが駆動された累積駆動時間が設定された基準時間以上であればオンにされる第２スイッチ、そして
前記第２スイッチのオン／オフにより変動するフィードバック電圧を受信して、前記第１スイッチのデューティーを制御するスイッチング制御部を含む、ことを特徴とする電源供給装置。
【請求項２】
前記第２スイッチがオンである場合、前記第１抵抗と前記第３抵抗は並列に連結され、前記第２スイッチがオフである場合、前記第３抵抗には電流が流れない、ことを特徴とする請求項１に記載の電源供給装置。
【請求項３】
前記第１抵抗及び第２抵抗の接続点に基準端子が連結され、アノード端子が接地に連結されるシャントレギュレーター、
カソード端子が前記出力端に連結され、アノード端子が前記シャントレギュレーターのカソード端子に連結されるフォトダイオード、
前記フォトダイオードにカップリングされるフォトダイオード、そして
前記フォトダイオードに並列連結されて、前記フィードバック電圧が充電されるキャパシタを更に含む、ことを特徴とする請求項１に記載の電源供給装置。
【請求項４】
前記第２スイッチはフォトカプラーに代替可能である、ことを特徴とする請求項１に記載の電源供給装置。
【請求項５】
前記第１抵抗及び前記第２抵抗のうちの少なくとも一つの抵抗が温度により抵抗値が可変する可変抵抗である、ことを特徴とする請求項１に記載の電源供給装置。
【請求項６】
前記温度は、前記プラズマ表示パネルの温度又は前記プラズマ表示パネルの周辺温度に対応する、ことを特徴とする請求項５に記載の電源供給装置。
【請求項７】
前記第１抵抗は温度が増加する場合、抵抗値が増加する、ことを特徴とする請求項５に記載の電源供給装置。
【請求項８】
前記第１抵抗は温度が減少する場合、抵抗値が増加する、ことを特徴とする請求項５に記載の電源供給装置。
【請求項９】
前記第２抵抗は温度が減少する場合、抵抗値が増加する、ことを特徴とする請求項５に記載の電源供給装置。
【請求項１０】
前記第２抵抗は温度が増加する場合、抵抗値が増加する、ことを特徴とする請求項５に記載の電源供給装置。
【請求項１１】
第１及び第２電極を含み、前記第１及び第２電極の交差地点に放電セルが形成されるプラズマ表示パネル、
前記プラズマ表示パネルを駆動する駆動部、
出力端に連結される複数の抵抗と前記複数の抵抗のうちの第１抵抗に連結される第１スイッチを含み、複数の抵抗によって、分圧される電圧で出力電圧を調節して、前記出力電圧を前記駆動部の駆動電圧に出力する電源部、そして
前記プラズマ表示パネルの駆動時間をカウントし、カウントされた累積駆動時間により前記第１スイッチをオン又はオフする制御信号を前記電源部に出力する制御部を含む、ことを特徴とするプラズマ表示装置。
【請求項１２】
前記制御部は、
前記累積駆動時間が設定された基準時間未満であれば、前記第１スイッチをオフする制御信号を出力し、前記累積駆動時間が前記基準時間以上であれば、前記第１スイッチをオンする制御信号を出力する、ことを特徴とする請求項１１に記載のプラズマ表示装置。
【請求項１３】
前記電源部は、
入力電源に電気的に連結される１次側コイルと出力端に電気的に連結される２次側コイルを含むトランスフォーマー、
前記トランスフォーマーの１次側コイルに電気的に連結されて、デューティーにより前記出力端に出力される電圧を決定する第２スイッチ、そして
前記出力端に電気的に直列連結される第２抵抗及び第３抵抗を含み、
前記第１抵抗は一端が前記出力端と前記第２抵抗の接続点に連結され、
前記第１スイッチは前記第１抵抗の他端に一端が連結され、他端が前記第２抵抗と前記第３抵抗の接続点に連結される、ことを特徴とする請求項１１に記載のプラズマ表示装置。
【請求項１４】
前記第１スイッチがオンである場合、前記第１抵抗と前記第２抵抗は並列に連結され、前記第１スイッチがオフである場合、前記第１抵抗には電流が流れない、ことを特徴とする請求項１３に記載のプラズマ表示装置。
【請求項１５】
前記第１抵抗及び前記第２抵抗のうちの少なくとも一つの抵抗が温度により抵抗値が可変する可変抵抗である、ことを特徴とする請求項１３に記載のプラズマ表示装置。
【請求項１６】
前記温度は前記プラズマ表示パネルの温度又は前記プラズマ表示パネルの周辺温度に対応する、ことを特徴とする請求項１５に記載の電源供給装置。
【請求項１７】
前記第１抵抗は温度が増加する場合、抵抗値が増加する、ことを特徴とする請求項１５に記載の電源供給装置。
【請求項１８】
前記第１抵抗は温度が減少する場合、抵抗値が増加する、ことを特徴とする請求項１５に記載の電源供給装置。
【請求項１９】
前記第２抵抗は温度が減少する場合、抵抗値が増加する、ことを特徴とする請求項１５に記載の電源供給装置。
【請求項２０】
前記第２抵抗は温度が増加する場合、抵抗値が増加する、ことを特徴とする請求項１５に記載の電源供給装置。
【発明の詳細な説明】
【技術分野】
【０００１】
本発明は、電源供給装置及びこれを含むプラズマ表示装置に関するものである。
【背景技術】
【０００２】
プラズマ表示装置は気体放電によって、生成されたプラズマを用いて、文字又は映像を表示する平面表示装置であって、その大きさにより数十から数百万個以上のピクセルがマトリックス形態に配列されている。
【０００３】
プラズマ表示装置では１フレーム（１ＴＶフィールド）がそれぞれの加重値を有する複数のサブフィールドに分割されて駆動され、各サブフィールドは時間的な動作変化に表現すればリセット期間、アドレス期間及び維持期間で構成される。
【０００４】
リセット期間は、セルにアドレシング動作が円滑に行われるようにするために各セルの状態を初期化させる期間であり、アドレス期間はパネルで点灯されるセルと点灯されないセルを選択するために点灯されるセル（アドレシングされたセル）にアドレス電圧を印加して、壁電荷を積む動作を行う期間である。維持期間は維持放電パルスを印加して、アドレシングされたセルに実際に画像を表示するための放電を遂行する期間である。
【０００５】
このようなプラズマ表示装置は、その駆動時間が累積するほど酸化マグネシウム（ＭｇＯ）の特性が変わって、放電開始電圧が低くなる。従って、プラズマ表示装置の累積駆動時間が増加するほど、アドレス期間で点灯されないセルが選択されて、過放電が発生するようになる。また、維持期間で強放電及び誤放電が発生するようになる。
【発明の開示】
【発明が解決しようとする課題】
【０００６】
本発明の課題は、プラズマ表示装置を駆動する電圧を調整して、放電を安定的に維持する電源供給装置及びこれを含むプラズマ表示装置を提供することにある。
【課題を解決するための手段】
【０００７】
本発明の特徴によれば、プラズマ表示パネルに電源を供給する電源供給装置が提供される。電源供給装置は入力電源に電気的に連結される１次側コイルと出力端に電気的に連結される２次側コイルを含むトランスフォーマー、前記トランスフォーマーの１次側コイルに電気的に連結されて、デューティーにより前記出力端に出力される電圧を決定する第１スイッチ、前記出力端に電気的に直列連結される第１抵抗及び第２抵抗、一端が前記出力端と前記第１抵抗の接続点に連結される第３抵抗、前記第３抵抗の他端に一端が連結され他端が前記第１抵抗と前記第２抵抗の接続点に連結されていて、前記プラズマ表示パネルが駆動された累積駆動時間が設定された基準時間以上であればオンにされる第２スイッチ、前記第２スイッチのオン／オフにより変動するフィードバック電圧を受信して、前記第１スイッチのデューティーを制御するスイッチング制御部を含む。
【０００８】
本発明の他の特徴によれば、プラズマ表示装置が提供される。プラズマ表示装置は第１及び第２電極を含み、前記第１及び第２電極の交差地点に放電セルが形成されるプラズマ表示パネル、前記プラズマ表示パネルを駆動する駆動部、出力端に連結される複数の抵抗と前記複数の抵抗のうち第１抵抗に連結される第１スイッチを含み、複数の抵抗によって、分圧される電圧で出力電圧を調節して、前記出力電圧を前記駆動部の駆動電圧に出力する電源部、前記プラズマ表示パネルの駆動時間をカウントし、カウントされた累積駆動時間により前記第１スイッチをオン又はオフする制御信号を前記電源部に出力する制御部を含む。
【発明の効果】
【０００９】
本発明の実施例によれば、プラズマ表示パネルの駆動時間によりプラズマ表示装置の駆動に必要な電源部の出力電圧を変更することによって、放電が安定的に起こる。また、プラズマ表示パネルの温度又はプラズマ表示パネルの周辺温度により電源部の出力電圧を変更することによって、低放電を防止することができる。
【発明を実施するための最良の形態】
【００１０】
以下、添付した図面を参照して、本発明の好ましい実施例について当業者が容易に実施することができるように詳細に説明する。しかしながら、本発明は多様に異なる形態で実現できるので、ここで説明する実施例に限定されるものではない。そして図面で本発明を明確に説明するために説明と関係ない部分は省略し、明細書全体を通じて類似した部分については同一な図面符号で示すものとする。
【００１１】
明細書全体である部分が他の部分と“連結”されているという時、これは“直接的に連結”されている場合だけでなく、その中間に他の素子を間において“電気的に連結”されている場合も含む。またある部分が何らかの構成要素を“含む”とする時、これは特に反対になる記載がない限り他の構成要素を除くものではなく、他の構成要素を更に包含できるものを意味する。
【００１２】
さて、本発明の実施例による電源供給装置及びこれを含むプラズマ表示装置について図面を参照して詳細に説明する。
【００１３】
図１は、本発明の実施例によるプラズマ表示装置の概略的な平面図である。図１に示すように本発明の実施例によるプラズマ表示装置はプラズマ表示パネル１００、制御部２００、アドレス電極駆動部３００、走査電極駆動部４００、維持電極駆動部５００及び電源部６００を含む。
【００１４】
プラズマ表示パネル１００は、列方向に延びている複数のアドレス電極（Ａ１〜Ａｍ）、そして行方向に互いに対を構成しながら延びている複数の維持電極（Ｘ１〜Ｘｎ）及び走査電極（Ｙ１〜Ｙｎ）を含む。維持電極（Ｘ１〜Ｘｎ）は各走査電極（Ｙ１〜Ｙｎ）に対応して形成されており、維持電極（Ｘ１〜Ｘｎ）と走査電極（Ｙ１〜Ｙｎ）が維持期間で画像を表示するための表示動作を行う。アドレス電極（Ａ１〜Ａｍ）は維持電極（Ｘ１〜Ｘｎ）及び走査電極（Ｙ１〜Ｙｎ）と直交するように配置される。この時、アドレス電極（Ａ１〜Ａｍ）と走査電極（Ｙ１〜Ｙｎ）及び維持電極（Ｘ１〜Ｘｎ）の交差部にある放電空間がセルを形成する。このようなプラズマ表示パネル１００の構造は一例であり、後述する駆動方法が適用できる他の構造のパネルも本発明に適用できる。
【００１５】
制御部２００は外部から映像信号を受信して、アドレス電極駆動制御信号、維持電極駆動制御信号及び走査電極駆動制御信号を出力する。そして制御部２００は、１フレームを複数のサブフィールドに分割して駆動する。各サブフィールドは時間的な動作変化に表現すればリセット期間、アドレス期間及び維持期間からなる。
【００１６】
本発明の実施例による制御部２００は、プラズマ表示パネル１００の駆動時間を累積カウントし、累積駆動時間（Ｓ）が設定された基準時間（Ｓｎ）以上である場合、電源部６００で生成される出力電圧（Ｖｏｕｔ）を制御する制御信号を電源部６００に出力する。また、制御部２００は、プラズマ表示パネル１００の温度又はプラズマ表示パネル１００の周辺温度により電源部６００で生成される出力電圧（Ｖｏｕｔ）を制御する制御信号を電源部６００に出力する。この時、プラズマ表示パネル１００の温度（Ｔ１）又はプラズマ表示パネル１００の周辺温度（Ｔ２）は別途の温度感知部（図示せず）によって感知でき、制御部２００によって感知できる。以下、制御部２００でプラズマ表示パネル１００の温度（Ｔ１）又はプラズマ表示パネル１００の周辺温度（Ｔ２）を検出すると仮定する。
【００１７】
アドレス電極駆動部３００は、制御部２００からアドレス電極駆動制御信号を受信して表示しようとする放電セルを選択するための表示データ信号を各アドレス電極に印加する。
【００１８】
走査電極駆動部４００は制御部２００から走査電極駆動制御信号を受信して、走査電極に駆動電圧を印加する。維持電極駆動部５００は制御部２００から維持電極駆動制御信号を受信して、維持電極に駆動電圧を印加する。
【００１９】
電源部６００はプラズマ表示装置に使用される複数の電圧を生成して、各電極の駆動部３００、４００、５００に供給する。電源部６００は、プラズマ表示装置に使用される複数の電圧を生成するためにスイッチングモードパワーサプライで具現される。各電極の駆動部３００、４００、５００は電源部６００から供給される各種電圧をプラズマ表示パネル１００の各電極（走査電極、維持電極及びアドレス電極）に印加して駆動する。ここで、本発明の実施例による電源部６００はプラズマ表示パネル１００の累積駆動時間により出力電圧を異なって生成して、各電極の駆動部３００、４００、５００に供給する。
【００２０】
次に、プラズマ表示装置の駆動波形について図２を参考として詳細に説明する。以下、便宜上一つのセルを形成する走査電極（以下、‘Ｙ電極’という）、維持電極（以下、‘Ｘ電極’という）及びアドレス電極（以下、‘Ａ電極’という）に印加される駆動波形についてだけ説明する。
【００２１】
図２は、本発明の実施例によるプラズマ表示装置の駆動波形を示す図面である。図２に示すように、リセット期間の上昇期間ではＡ電極及びＸ電極を基準電圧（図２では基準電圧を接地電圧（０Ｖ）に仮定すること）に維持して、Ｙ電極の電圧をＶｓ電圧からＶｓｅｔ電圧まで漸進的に増加させる。このように、Ｙ電極の電圧が増加する間の、Ｙ電極とＸ電極の間及びＹ電極とＡ電極間で弱放電が発生して、Ｙ電極には（−）壁電荷が形成されてＸ電極及びＡ電極には（＋）壁電荷が形成される。
【００２２】
リセット期間の下降期間では、Ａ電極とＸ電極の電圧をそれぞれ基準電圧とＶｅ電圧に維持した状態で、Ｙ電極の電圧をＶｓ電圧からＶｎｆ電圧まで漸進的に減少させる。そうすれば、Ｙ電極の電圧が減少するうちＹ電極とＸ電極の間及びＹ電極とＡ電極間で弱放電が起こるようになり、これによりＹ電極に形成された（−）壁電荷とＸ電極及びＡ電極に形成された（＋）壁電荷が消去される。一般に（Ｖｎｆ−Ｖｅ）電圧の大きさはＹ電極とＸ電極の間の放電開始電圧（Ｖｆｘｙ）近傍に設定される。そうすれば、Ｙ電極とＸ電極の間の壁電圧が殆ど０Ｖになって、アドレス期間でアドレス放電が起こらないセルが維持期間で誤放電することを防止することができる。
【００２３】
アドレス期間では、点灯される放電セルを選択するために、Ｘ電極にＶｅ電圧を印加した状態で、複数のＹ電極に順次にＶｓｃＬ電圧を有する走査パルスを印加する。この時、ＶｓｃＬ電圧が印加されたＹ電極とＸ電極によって、形成される複数の放電セルのうち発光する放電セルを通過するＡ電極にＶａ電圧を印加する。そうすれば、Ｖａ電圧が印加されたＡ電極とＶｓｃＬ電圧が印加されたＹ電極の間及びＶｓｃＬ電圧が印加されたＹ電極とＶｅ電圧が印加されたＸ電極間でアドレス放電が起こる。これにより、Ｙ電極には（＋）壁電荷が形成され、Ａ電極及びＸ電極には（−）壁電荷が形成される。ここで、ＶｓｃＬ電圧が印加されないＹ電極にはＶｓｃＬ電圧より高いＶｓｃＨ電圧が印加され、選択されない放電セルのＡ電極には基準電圧が印加される。
【００２４】
一方、アドレス期間でこのような動作を行うために、走査電極駆動部４００はＹ電極（Ｙ１〜Ｙｎ）のうちＶｓｃＬ電圧を有する走査パルスが印加されるＹ電極を選択する。例えば、シングル駆動では垂直方向に配列された順にＹ電極を選択することができる。そして、一つのＹ電極が選択される場合、アドレス電極駆動部３００は当該Ｙ電極によって、形成された放電セルのうち点灯される放電セルを選択する。つまり、アドレス電極駆動部３００は、Ａ電極のうちのＶａ電圧のアドレスパルスが印加されるセルを選択する。
【００２５】
維持期間では、Ｙ電極とＸ電極にハイレベル電圧（図２ではＶｓ電圧）とローレベル電圧（図２では０Ｖ電圧）を有する維持放電パルスが反対位相に印加する。そうすれば、Ｙ電極にＶｓ電圧が印加されてＸ電極に０Ｖ電圧が印加されてＹ電極とＸ電極間で維持放電が起こり、この維持放電によってＹ電極とＸ電極にそれぞれ（−）壁電荷及び（＋）壁電荷が形成される。以下、Ｙ電極とＸ電極に維持放電パルスを印加する過程は当該サブフィールドが表示する加重値に対応する回数ほど反復される。
【００２６】
プラズマ表示パネル１００は、駆動時間により酸化マグネシウム（ＭａＯ）の特性が変わって、放電開始電圧が低くなる。従って、本発明の実施例ではプラズマ表示パネル１００の累積駆動時間が設定された基準時間を経過すれば、電源部６００から出力される出力電圧が放電開始電圧に適合するように変動させる。この時、基準時間は放電開始電圧が低くなる時点で設定される。放電開始電圧により電源部６００から出力される出力電圧を変動することによって、放電が安定的に起こる。プラズマ表示パネル１００の駆動時間により電源部６００の出力電圧を制御する本発明の駆動方法に対して図３を参照して説明する。
【００２７】
図３は、本発明の実施例による電源部の構成を示す図面である。図３では説明の便宜上電源部６００に含まれている複数の直流−直流コンバータ（以下、‘ＤＣ−ＤＣコンバータ’と言う）のうちＶｓ電圧を生成するＤＣ−ＤＣコンバータだけを示した。
【００２８】
図３に示すように、電源部６００は電力供給部６１０、出力部６２０、フィードバック回路部６３０及びスイッチング制御部６４０を含む。
【００２９】
電力供給部６１０はブリッジダイオード（ＢＤ）、キャパシタ（Ｃｉｎ）、トランスフォーマーの１次コイル（Ｌ１）、メインスイッチ（Ｑｓｗ）、感知抵抗（Ｒｓｅｎｓｅ）を含む。ブリッジダイオード（ＢＤ）は、交流入力端に連結されて入力される交流電圧（ＡＣ）を整流する。キャパシタ（Ｃｉｎ）は、ブリッジダイオード（ＢＤ）と１次コイル（Ｌ１）の間に連結されて、ブリッジダイオード（ＢＤ）で整流された電圧を平滑化する。１次コイル（Ｌ１）は入力電源（Ｖｉｎ）とメインスイッチ（Ｑｓｗ）の間に連結され、メインスイッチ（Ｑｓｗ）は１次コイル（Ｌ１）と感知抵抗（Ｒｓｅｎｓｅ）の間に連結される。感知抵抗（Ｒｓｅｎｓｅ）はメインスイッチ（Ｑｓｗ）と接地の間に連結されて、メインスイッチ（Ｑｓｗ）を通じて流れる電流を感知する。ここで、メインスイッチ（Ｑｓｗ）はＭＯＳトランジスター（ＭＯＳＦＥＴ）で示したが、同一な機能を有する他のスイッチング素子に代替できる。
【００３０】
また、電力供給部６１０は入力電源（Ｖｉｎ）を受信して、メインスイッチ（Ｑｓｗ）のデューティーを制御することによって、トランスフォーマーの２次側の出力部６２０に所望の出力電圧（Ｖｓ）を供給する。一般に電源部６００は出力電圧（Ｖｓ）を再びフィードバックさせ、このフィードバックされた値を用いて、メインスイッチ（Ｑｓｗ）のデューティーを制御する。そうすれば、出力電圧（Ｖｓ）はレギュレーターされる。
【００３１】
出力部６２０はトランスフォーマーの２次コイル（Ｌ２）、ダイオード（Ｄ１）、キャパシタ（Ｃ１）を含む。ダイオード（Ｄ１）のアノード端子はトランスフォーマーの２次コイル（Ｌ２）に連結され、キャパシタ（Ｃ１）はダイオード（Ｄ１）のカソード端子と接地の間に連結される。この時、キャパシタ（Ｃ１）の両端にかかる電圧が出力電圧（Ｖｓ）である。
【００３２】
フィードバック回路部６３０は抵抗（Ｒ１）、（Ｒ２）、（Ｒ３）、スイッチ（ＳＷ１）、シャントレギュレーター６３１、フォトカプラー（ＰＣ）、キャパシタ（Ｃｆｂ）を含む。抵抗（Ｒ１）と抵抗（Ｒ２）は出力部６２０のダイオード（Ｄ１）のカソード端子と接地の間に直列に連結され、抵抗（Ｒ３）はダイオード（Ｄ１）のカソード端子と抵抗（Ｒ１）の間の接続点に一端が連結され、他端がスイッチ（ＳＷ１）に連結される。図３で抵抗（Ｒ１）は一つの抵抗で示したが、抵抗（Ｒ１）は直列に連結された複数の抵抗で代替可能である。そして、抵抗（Ｒ１）及び抵抗（Ｒ２）は可変抵抗で代替可能である。スイッチ（ＳＷ１）は一端が抵抗（Ｒ３）に連結され、他端が抵抗（Ｒ１）と抵抗（Ｒ２）の間の接続点に連結される。この時、スイッチ（ＳＷ１）は制御部２００に含まれるマイコン２１０によってオン／オフが決定される。
【００３３】
より具体的には、本発明の実施例によるマイコン２１０はプラズマ表示パネル１００が駆動される時毎に駆動時間を累積してカウントし、累積駆動時間（Ｓ）と既に設定された基準時間（Ｓｎ）を比較する。この時、累積駆動時間（Ｓ）が基準時間（Ｓｎ）以上である場合、マイコン２１０は、フィードバック回路部６３０のスイッチ（ＳＷ１）をオンする。反面、累積駆動時間（Ｓ）が基準時間（Ｓｎ）未満である場合、マイコン２１０はフィードバック回路部６３０のスイッチ（ＳＷ１）をオフする。
【００３４】
フォトダイオード（ＰＣ１）はアノード端子が出力部６２０のキャパシタ（Ｃ１）に連結され、カソード端子がシャントレギュレーター６３１のカソード端子（Ｃ）に連結される。フォトダイオード（ＰＣ１）と一緒にフォトカプラー（ＰＣ）を形成するフォトトランジスター（ＰＣ２）は一端がキャパシタ（Ｃｆｂ）に連結され、他端が接地に連結される。キャパシタ（Ｃｆｂ）はフォトトランジスター（ＰＣ２）に並列に連結され、一端がスイッチング制御部６４０に連結され、他端が接地に連結される。シャントレギュレーター６３１は基準端子（Ｒ）が抵抗（Ｒ１）と抵抗（Ｒ２）の接続点に連結され、カソード端子（Ｃ）がフォトダイオード（ＰＣ１）のカソード端子に連結され、アノード端子（Ａ）が接地に連結される。
【００３５】
一方、シャントレギュレーター６３１はＩＣ（Ｉｎｔｅｇｒａｔｅｄ  Ｃｉｒｃｕｉｔ）としてＴＬ４３１、Ｋａ４３１等の素子が用いることができ、素子の特性上基準端子（Ｒ）はいつも一定した基準電圧（Ｖｒｅｆ）を維持している。スイッチ（ＳＷ１）がオフである場合、図３で基準電圧（Ｖｒｅｆ）と出力電圧（Ｖｏｕｔ）の関係を調べれば抵抗（Ｒ１、Ｒ２）の電圧分配によって、下記の数１になる。
【数１】
2009042724.tif 000003
【００３６】
数１でＶｒｅｆはシャントレギュレーター６３１の基準電圧で素子の特性上いつも一定した電圧を維持しており、素子により予め定められた値である。プラズマ表示パネル１００の累積駆動時間（Ｓ）が基準時間（Ｓｎ）以上になってスイッチ（ＳＷ１）がオンである場合、図３で基準電圧（Ｖｒｅｆ）と出力電圧（Ｖｏｕｔ）の関係を調べれば下記の数２になる。
【数２】
2009042724.tif 000004
【００３７】
ここで、Ｒ１//Ｒ３は、Ｒ１とＲ２の並列抵抗値（Ｒ１＊Ｒ３）/（Ｒ１＋Ｒ３）を示す。このように、フィードバック回路部６３０は出力電圧（Ｖｏｕｔ）に対応して、シャントレギュレーター６３１の基準端子（Ｒ）に入力される基準電圧（Ｖｒｅｆ）が変化することによってフォトダイオード（ＰＣ１）に流れる電流の量が変わって、これによりフォトトランジスター（ＰＣ２）を通じて、スイッチング制御部６４０に伝えられるフィードバック電圧（Ｖｆｂ）値が変動する。
【００３８】
スイッチング制御部６４０は、フィードバック回路部６３０から出力電圧に対応するフィードバック電圧（Ｖｆｂ）及び抵抗（Ｒｓｅｎｓｅ）によって感知される電圧（Ｖｓｅｎｓｅ）を受信して、メインスイッチ（Ｑｓｗ）のオン／オフの要否を決定する。
【００３９】
次に前述したように構成された電源部６００の動作について詳細に説明する。
【００４０】
一般に、トランスフォーマーの１次コイル（Ｌ１）にメインスイッチ（Ｑｓｗ）がオン／オフされる時間によって、出力部６２０から出力される出力電圧（Ｖｓ）が決定される。つまり、フィードバック回路部６３０でメインスイッチ（Ｑｓｗ）のゲート端子に伝えられる信号によって、メインスイッチ（Ｑｓｗ）のデューティーが決定されて、決められたデューティーによって、メインスイッチ（Ｑｓｗ）のドレーン−ソースの間に流れる電流量が決定される。そして、決められた電流値に対応する電圧が出力部６２０に伝えられる。そうすれば、出力部６２０はトランスフォーマーの２次コイル（Ｌ２）に伝えられた電圧に対応する出力電圧（Ｖｓ）を各電極の駆動部３００、４００、５００に出力するようになる。
【００４１】
そして、出力部６２０から出力される電圧（Ｖｓ）はフィードバック回路部６３０でフィードバックされて、フィードバック回路部６３０はフィードバックされた値を用いて、メインスイッチ（Ｑｓｗ）のデューティーを制御する信号をスイッチング制御部６４０に出力する。この時、本発明の実施例によれば、フィードバック回路部６３０のスイッチ（ＳＷ１）はプラズマ表示パネル１００の累積駆動時間（Ｓ）によりオン／オフされる。
【００４２】
累積駆動時間（Ｓ）が設定された基準時間（Ｓｎ）以上であれば、マイコン２１０はスイッチ（ＳＷ１）をオンさせる。そうすれば、数２によって、シャントレギュレーター６３１の基準電圧（Ｖｒｅｆ）が増加するようになる。このように基準電圧（Ｖｒｅｆ）が増加すればフォトダイオード（ＰＣ１）に流れる電流量が減少する。フォトトランジスター（ＰＣ２）はフォトダイオード（ＰＣ１）により電流量が減少して、キャパシタ（Ｃｆｂ）に充電されるフィードバック電圧（Ｖｆｂ）が増加する。スイッチング制御部６４０はフィードバック電圧（Ｖｆｂ）によりメインスイッチ（Ｑｓｗ）のデューティーを変更し、これにより出力部６２０の出力電圧（Ｖｓ）が減少するようになる。
【００４３】
図４は本発明の第２実施例によるフィードバック回路部の構成を示す図面である。図４に示すように、第２フィードバック回路部６３０−１は図３のスイッチ（ＳＷ１）の代わりにフォトカプラー（ＰＣ）を使うことを除いて図３のフィードバック回路部６３０と同一である。フォトカプラー（ＰＣ）はマイコン２１０と接地の間に連結されるフォトダイオード（ＰＣ３）、一端が抵抗（Ｒ３）に連結され、他端が抵抗（Ｒ１）と抵抗（Ｒ２）の間の接続点に連結されるフォトトランジスター（ＰＣ４）を含む。マイコン２１０からオン信号が出力されればフォトダイオード（ＰＣ３）に電流が印加されて、フォトトランジスター（ＰＣ４）はオンされる。マイコン２１０からオフ信号が出力されればフォトダイオード（ＰＣ３）に電流が印加されなくて、フォトトランジスター（ＰＣ４）はオフされる。フォトトランジスター（ＰＣ４）のオン／オフはスイッチ（ＳＷ１）のオン／オフと同一な機能を有する。従って、フォトカプラー（ＰＣ）のオン／オフ動作により出力電圧（Ｖｏｕｔ）が変わることは当業者であれば、簡単に知ることができるので具体的な説明は省略する。
【００４４】
このように、本発明の第１及び第２実施例ではプラズマ表示パネル１００の累積駆動時間が経過することによって放電開始電圧が低くなる時間を判断する。そして、放電開始電圧が低くなる時点から電源部６００から出力される出力電圧（Ｖｓ）を低くすることによって、過放電又は誤放電を防止することができる。
【００４５】
また、プラズマ表示パネル１００は温度により放電に影響を受ける。例えば、温度が低くなる場合、電荷の移動が遅くなって、これにより放電速度が遅くなるだけでなく、壁電荷が積もることに多少長時間がかかる。これにより、維持期間でＶｓ電圧が印加されて、維持放電が発生する場合、維持期間内に維持放電が完了できなくて低放電が発生するようになる。一方、温度が高くなる場合には電荷の移動が活発で維持放電の応答速度が速くなることによってむしろ壁電荷が自己消去されたり周辺放電セルに抜け出てしまう現象によって、壁電荷がうまく積もらないようになる。これにより、温度が高くなる場合にも維持放電時に低放電が発生するようになる。
【００４６】
従って、本発明の第３実施例では温度が増加する場合、電源部６００から出力される出力電圧（Ｖｓ）を上昇させて、維持放電時の低放電を防止する。一方、温度が減少する場合にも電源部６００から出力される出力電圧（Ｖｓ）を上昇させて、維持放電時の低放電を防止することができる。
【００４７】
本発明の第３実施例では抵抗（Ｒ１）を可変抵抗と仮定して、温度により抵抗（Ｒ１）を変化させて出力電圧（Ｖｓ）を変化させる。数１をＶｓ電圧で再び示せば下記の数３になる。
【数３】
2009042724.tif 000005
【００４８】
数３から分かるように、Ｖｒｅｆ値は固定された値であるのでＶｓ電圧は抵抗（Ｒ１、Ｒ２）を可変させれば変動する。これにより、本発明の第２実施例では抵抗（Ｒ１）をプラズマ表示パネル１００又はプラズマ表示パネル１００の周辺温度により変化させる。ここで、温度により変化する可変抵抗の例は当業者であれば、簡単に知ることができるので、以下、具体的な説明は省略する。一方、温度により変化する可変抵抗（Ｒ１）が電源部６００に配置されれば、直接的にプラズマ表示パネル１００又は周辺温度を反映できなくても電源部６００の温度によりプラズマ表示パネル１００の温度が変動するので、間接的に可変抵抗（Ｒ１）の抵抗値がプラズマ表示パネル１００の温度又はプラズマ表示パネル１００の周辺温度により変化する。従って、電源部６００に位置した可変抵抗（Ｒ１）の抵抗値はプラズマ表示パネル１００の温度又はプラズマ表示パネル１００の周辺温度を反映すると見られる。
【００４９】
抵抗（Ｒ１）が、温度の上昇によって抵抗値が上昇する特性、つまり、正の温度係数（Ｐｏｓｉｔｉｖｅ  Ｔｅｍｐｅｒａｔｕｒｅ  Ｃｏｅｆｆｉｃｉｅｎｔ、以下、‘ＰＴＣ’と言う）を持つものとして設定した場合、数３から分かるように、温度上昇によって出力電圧（Ｖｓ）も上昇する。一方、抵抗（Ｒ１）が、温度の降下によって抵抗値が上昇する特性、つまり、負の温度係数（Ｎｅｇａｔｉｖｅ  Ｔｅｍｐｅｒａｔｕｒｅ  Ｃｏｅｆｆｉｃｉｅｎｔ、以下、‘ＮＴＣ’と言う）を持つものとして設定した場合、数３から分かるように温度降下によって出力電圧（Ｖｓ）が上昇する。
【００５０】
このように本発明の第３実施例では可変抵抗（Ｒ１）をＰＴＣ又はＮＴＣ特性を持つものを使うことによって、温度が増加する場合又は温度が減少する場合にＶｓ電圧を増加させることによって低放電を防ぐことができる。
【００５１】
一方、以上では抵抗（Ｒ１）を可変抵抗として使ったが、本発明の第４実施例では抵抗（Ｒ２）が可変抵抗と仮定して、温度により抵抗（Ｒ２）を可変させて出力電圧（Ｖｓ）を変動する。
【００５２】
抵抗（Ｒ２）がＰＴＣ特性を持つことと設定した場合、抵抗（Ｒ２）の抵抗値が温度が減少することによって減少するので数３から分かるように温度が減少することによって出力電圧（Ｖｓ）が上昇する。次に、抵抗（Ｒ２）がＮＴＣ特性を持つことと設定した場合、抵抗（Ｒ２）の抵抗値が温度が増加することによって減少するので数式３に分かるように温度が増加することによって出力電圧（Ｖｓ）が増加する。
【００５３】
このように本発明の第４実施例では抵抗（Ｒ２）をＰＴＣ又はＮＴＣ特性を持つことを使うことによって、温度が増加する場合又は温度が減少する場合にＶｓ電圧を増加させることによって低放電を防ぐことができる。
【００５４】
一方、本発明の第３実施例では抵抗（Ｒ１）が温度により抵抗値が変動する可変抵抗であり、本発明の第４実施例では抵抗（Ｒ２）が温度により抵抗値が変動する可変抵抗であると説明した。だが、抵抗（Ｒ１）及び抵抗（Ｒ２）を全て可変抵抗で設定することができる。この時、抵抗（Ｒ１）がＰＴＣ特性を有する場合抵抗（Ｒ２）はＮＴＣ特性を持つことを設定して、温度が上昇することによってＶｓ電圧を上昇させて、低放電を防ぐことができる。そして、抵抗（Ｒ１）がＮＴＣ特性を有する場合抵抗（Ｒ２）はＰＴＣ特性を持つことを設定して、温度が下降することによってＶｓ電圧を上昇させて、低放電を防ぐことができる。
【００５５】
以上では本発明の実施例ではプラズマ表示パネルの駆動時間、プラズマ表示パネルの温度及びプラズマ表示パネルの周辺温度によりＶｓ電圧を可変させる方法について説明した。だが、本発明はこれに限定されなくて他の電圧（例えば、Ｖａ、ＶｓｃＨ、ＶｓｃＬ、Ｖｎｆなど）を可変させる方法にも適用できる。
【００５６】
以上、本発明の好ましい実施例について説明したが、本発明の権利範囲はこれに限定されるものではなく、特許請求の範囲と発明の詳細な説明及び添付した図面の範囲内で多様に変形して実施するのが可能であり、これもまた本発明の範囲に属することは当然である。
【図面の簡単な説明】
【００５７】
【図１】本発明の実施例によるプラズマ表示装置の概略的な平面図である。
【図２】本発明の実施例によるプラズマ表示装置の駆動波形を示す図面である。
【図３】本発明の実施例による電源部の構成を示す図面である。
【図４】本発明の第２実施例によるフィードバック回路部の構成を示す図面である。
【符号の説明】
【００５８】
６００  電源部
６１０  電力供給部
６２０  出力部
６３０  フィードバック回路部
６４０  スイッチング制御部
【図１】
2009042724.tif 000006
【図２】
2009042724.tif 000007
【図３】
2009042724.tif 000008
【図４】
2009042724.tif 000009